(57)【要約】      （修正有）【課題】交換が不要なカートリッジが交換されてしまった場合に、ユーザに、カートリッジの交換が妥当であったかの再確認を促すことができる画像形成装置を提供する。【解決手段】画像形成装置１の制御部８０は、本体メモリから読み出したドラム識別情報／トナー識別情報と、ドラムメモリ２２／トナーメモリ３２から読み出したドラム識別情報／トナー識別情報とが、一致しないことにより、ドラムカートリッジ２０およびトナーカートリッジ３０の両方が交換されたと判定された場合に、ドラム寿命情報／トナー寿命情報に基づく第１／第２交換タイミング判定処理により、ドラムカートリッジ２０またはトナーカートリッジ３０の交換タイミングではないと判定された場合に、ディスプレイ９０によりエラーを出力させる。【選択図】図１
2020038239.tif 000002
【特許請求の範囲】
【請求項１】
画像形成装置であって、
フレームと、
前記フレームに着脱可能なドラムカートリッジであって、
感光体ドラムと、
前記ドラムカートリッジを識別可能なドラム識別情報と、ドラム寿命情報と、を記憶しているドラムメモリと、
を有するドラムカートリッジと、
前記ドラムカートリッジを介して前記フレームに着脱可能なトナーカートリッジであって、
トナーを収容可能な筐体と、
トナーカートリッジを識別可能なトナー識別情報と、トナー寿命情報と、を記憶しているトナーメモリと、
を有するトナーカートリッジと、
ディスプレイ、または、スピーカーと、
前記ドラム識別情報と、前記ドラム寿命情報と、前記トナー識別情報と、前記トナー寿命情報と、を記憶する本体メモリと、
制御部と、を備え、
前記制御部は、
前記画像形成装置により画像形成動作が実行された後に、前記本体メモリに記憶された前記ドラム寿命情報と前記トナー寿命情報とを更新する更新処理と、
前記更新処理により更新された前記ドラム寿命情報を参照して、前記ドラムカートリッジの交換タイミングか否かを判定する第１交換タイミング判定処理と、
前記更新処理により更新された前記トナー寿命情報を参照して、前記トナーカートリッジの交換タイミングか否かを判定する第２交換タイミング判定処理と、
前記本体メモリに記憶された前記ドラム識別情報と、前記ドラムメモリに記憶された前記ドラム識別情報とが一致するか否かを判定する第１判定処理と、
前記本体メモリに記憶された前記トナー識別情報と、前記トナーメモリに記憶された前記トナー識別情報とが一致するか否かを判定する第２判定処理と、
前記第１判定処理により、前記本体メモリに記憶された前記ドラム識別情報と、前記ドラムメモリに記憶された前記ドラム識別情報とが一致せず、かつ、前記第２判定処理により、前記本体メモリに記憶された前記トナー識別情報と、前記トナーメモリに記憶された前記トナー識別情報とが一致しない場合であって、前記第１交換タイミング判定処理により前記ドラムカートリッジの交換タイミングではないと判定された場合に、前記ディスプレイまたは前記スピーカーによりエラーを出力させる第１エラー出力処理と、
前記第１判定処理により、前記本体メモリに記憶された前記ドラム識別情報と、前記ドラムメモリに記憶された前記ドラム識別情報とが一致せず、かつ、前記第２判定処理により、前記本体メモリに記憶された前記トナー識別情報と、前記トナーメモリに記憶された前記トナー識別情報とが一致しない場合であって、前記第２交換タイミング判定処理により前記トナーカートリッジの交換タイミングではないと判定された場合に、前記ディスプレイまたは前記スピーカーによりエラーを出力させる第２エラー出力処理と、
を実行させることを特徴とする画像形成装置。
【請求項２】
請求項１に記載の画像形成装置であって、
前記制御部は、
前記画像形成装置により画像形成動作が実行される前に、
前記フレームに前記ドラムカートリッジが装着された状態において、前記ドラムメモリから前記ドラム識別情報と前記ドラム寿命情報とを読み出し、前記本体メモリに記憶させる第１記憶処理と、
前記ドラムカートリッジに前記トナーカートリッジが装着された状態において、前記トナーメモリから前記トナー識別情報と前記トナー寿命情報とを読み出し、前記本体メモリに記憶させる第２記憶処理と、
を実行させることを特徴とする画像形成装置。
【請求項３】
請求項１または請求項２に記載の画像形成装置であって、
前記制御部は、
前記第１交換タイミング判定処理が実行された後に、前記フレームに装着された前記ドラムカートリッジの前記ドラムメモリから、前記ドラム識別情報を読み出す第１読出処理と、
前記第２交換タイミング判定処理が実行された後に、前記フレームに装着された前記トナーカートリッジの前記トナーメモリから、前記トナー識別情報を読み出す第２読出処理と、
を実行させることを特徴とする画像形成装置。
【請求項４】
請求項３に記載の画像形成装置であって、
前記制御部は、
前記第１読出処理が実行された後に、前記第１記憶処理により前記本体メモリに記憶された前記ドラム識別情報と、前記第１読出処理により読み出された前記ドラム識別情報とが一致するか否かを判定する第１判定処理と、
前記第２読出処理が実行された後に、前記第２記憶処理により前記本体メモリに記憶された前記トナー識別情報と、前記第２読出処理により読み出された前記トナー識別情報とが一致するか否かを判定する第２判定処理と、
を実行させることを特徴とする画像形成装置。
【請求項５】
請求項１から４のいずれか１項に記載の画像形成装置であって、
前記本体メモリは、
前記ドラムカートリッジの前記ドラム寿命情報に関する第１閾値と、
前記トナーカートリッジの前記トナー寿命情報に関する第２閾値と、
を記憶可能であり、
前記制御部は、
前記第１交換タイミング判定処理において、前記更新処理により更新された前記ドラム寿命情報と前記第１閾値とを比較することにより、前記ドラムカートリッジの交換タイミングか否かを判定し、
前記第２交換タイミング判定処理において、前記更新処理により更新された前記トナー寿命情報と前記第２閾値とを比較することにより、前記トナーカートリッジの交換タイミングか否かを判定することを特徴とする、画像形成装置。
【請求項６】
請求項１から４のいずれか１項に記載の画像形成装置であって、
前記ドラムメモリは、前記更新処理により更新された前記ドラム寿命情報を記憶可能であり、
前記トナーメモリは、前記更新処理により更新された前記トナー寿命情報を記憶可能であり、
前記制御部は、
前記第１交換タイミング判定処理において、前記本体メモリに記憶された前記ドラム寿命情報と、前記フレームに装着された前記ドラムカートリッジの前記ドラムメモリから読み出した前記ドラム寿命情報と、を比較することにより、前記ドラムカートリッジの交換タイミングか否かを判定し、
前記第２交換タイミング判定処理において、前記本体メモリに記憶された前記トナー寿命情報と、前記フレームに装着された前記トナーカートリッジの前記トナーメモリから読み出した前記トナー寿命情報と、を比較することにより、前記トナーカートリッジの交換タイミングか否かを判定することを特徴とする、画像形成装置。
【請求項７】
請求項１から請求項６のいずれか１項に記載の画像形成装置であって、
前記第１交換タイミング判定処理により、前記ドラムカートリッジの交換タイミングではないと判定された場合に、前記フレームに装着された前記ドラムカートリッジの前記ドラム寿命情報および前記ドラム識別情報は、前記本体メモリおよび前記ドラムメモリのいずれにも書き込まず、かつ、
前記第２交換タイミング判定処理により、前記トナーカートリッジの交換タイミングではないと判定された場合に、前記フレームに装着された前記トナーカートリッジの前記トナー寿命情報および前記トナー識別情報は、前記本体メモリおよび前記トナーメモリのいずれにも書き込まないことを特徴とする、画像形成装置。
【請求項８】
請求項１から請求項７のいずれか１項に記載の画像形成装置であって、
前記トナーカートリッジは、前記ドラムカートリッジに装着された状態で、前記フレームに装着されることを特徴とする、画像形成装置。
【請求項９】
請求項３または請求項４に記載の画像形成装置であって、
前記制御部は、
前記第１判定処理により、前記本体メモリに記憶された前記ドラム識別情報と、前記第１読出処理により読み出された前記ドラム識別情報とが一致しないと判定され、かつ、前記第２判定処理により、前記本体メモリに記憶された前記トナー識別情報と、前記第２読出処理により読み出された前記トナー識別情報とが一致しないと判定された場合に、前記第１交換タイミング判定処理および前記第２交換タイミング判定処理を実行することを特徴とする、画像形成装置。
【請求項１０】
請求項９に記載の画像形成装置であって、
前記制御部は、
前記第１判定処理により、前記本体メモリに記憶された前記ドラム識別情報と、前記第１読出処理により読み出された前記ドラム識別情報とが一致しないと判定され、かつ、前記第２判定処理により、前記本体メモリに記憶された前記トナー識別情報と、前記第２読出処理により読み出された前記トナー識別情報とが一致すると判定された場合、および、前記第１判定処理により、前記本体メモリに記憶された前記ドラム識別情報と、前記第１読出処理により読み出された前記ドラム識別情報とが一致すると判定され、かつ、前記第２判定処理により、前記本体メモリに記憶された前記トナー識別情報と、前記第２読出処理により読み出された前記トナー識別情報とが一致しないと判定された場合に、前記第１交換タイミング判定処理および前記第２交換タイミング判定処理を実行しないことを特徴とする、画像形成装置。
【請求項１１】
請求項１から請求項１０のいずれか１項に記載の画像形成装置であって、
前記トナーカートリッジは、現像ローラを有し、
前記ドラムカートリッジおよび前記トナーカートリッジが前記フレームに取り付けられたとき、前記現像ローラが前記感光体ドラムに接触することを特徴とする、画像形成装置。
【請求項１２】
請求項１から請求項１０のいずれか１項に記載の画像形成装置であって、
前記ドラムカートリッジは、現像ローラを有することを特徴とする、画像形成装置。
【請求項１３】
請求項１１または請求項１２に記載の画像形成装置であって、
前記ドラム寿命情報は、前記感光体ドラムの回転数、前記現像ローラの回転数、および印刷枚数、のうちの少なくともいずれかの情報であり、
前記トナー寿命情報は、前記現像ローラの回転数、印刷枚数、および出力ドット数、のうちの少なくともいずれかの情報であることを特徴とする、画像形成装置。
【請求項１４】
請求項１から請求項１３のいずれか１項に記載の画像形成装置であって、
前記制御部は、
前記第１エラー出力処理または前記第２エラー出力処理において、メッセージを前記ディスプレイに表示することを特徴とする、画像形成装置。
【請求項１５】
請求項１４に記載の画像形成装置であって、
前記メッセージは、前記フレームに装着した前記ドラムカートリッジまたは前記トナーカートリッジをそのまま用いるか、あるいは前記フレームに装着した前記ドラムカートリッジまたは前記トナーカートリッジを取り外して代わりに直前に装着していた前記ドラムカートリッジまたは前記トナーカートリッジを装着し直すか、をユーザに選択させるメッセージであることを特徴とする、画像形成装置。
【請求項１６】
請求項１から請求項１５のいずれか１項に記載の画像形成装置であって、
前記制御部は、前記第１判定処理および前記第２判定処理を実行した後に、前記第１交換タイミング判定処理および前記第２交換タイミング処理を実行することを特徴とする、画像形成装置。
【発明の詳細な説明】
【技術分野】
【０００１】
本発明は、画像形成装置に関する。
【背景技術】
【０００２】
従来、ＬＥＤプリンタ等の電子写真方式の画像形成装置が知られている。この種の画像形成装置は、装置本体と、装置本体に対して着脱可能なプロセスカートリッジとを有する。装置本体とプロセスカートリッジとを有する従来の画像形成装置については、例えば、特許文献１に記載されている。
【０００３】
特許文献１に記載の画像形成装置は、装置本体にプロセスカートリッジが着脱可能に装着される構造となっている。プロセスカートリッジは、現像カートリッジとドラムカートリッジとを有している。現像カートリッジおよびドラムカートリッジは、寿命になると交換が必要な消耗品である。また、特許文献１に記載の画像形成装置は、寿命判定手段と、報知部とを有する。寿命判定手段は、ドラムカートリッジの寿命を判定する。報知部は、寿命判定手段によってドラムカートリッジが寿命であると判定され場合に、ドラムカートリッジが寿命であることを示すメッセージを報知する。その結果、ユーザは、ドラムカートリッジの交換時期を認識することができる。
【先行技術文献】
【特許文献】
【０００４】
【特許文献１】特開２０１３−５０６０１号公報
【発明の概要】
【発明が解決しようとする課題】
【０００５】
寿命判定手段が、ドラムカートリッジの寿命の判断に加え、現像カートリッジの寿命を判定することが求められる。この場合、報知部は、寿命判定手段によって現像カートリッジが寿命であると判定された場合に、現像カートリッジが寿命であることを示すメッセージを報知する。その結果、ユーザは、ドラムカートリッジの交換時期に加え、現像カートリッジの交換時期も確認することができる。
【０００６】
しかしながら、特許文献１に記載の画像形成装置のように、現像カートリッジをドラムカートリッジに装着した状態で、ドラムカートリッジを装置本体に装着する構成において、寿命判定手段によって現像カートリッジまたはドラムカートリッジのいずれか一方が寿命であると判定された場合に、ユーザは、現像カートリッジおよびドラムカートリッジの両方を交換してしまう虞があった。つまり、交換が不要なカートリッジを交換してしまう虞があった。
【０００７】
本発明は、交換が不要なカートリッジが交換されてしまった場合に、ユーザに、カートリッジの交換が妥当であったかの再確認を促すことができる技術を提供することを目的とする。
【課題を解決するための手段】
【０００８】
本願の第１の観点によれば、以下の構成の画像形成装置が提供される。即ち、この画像形成装置は、フレームと、ドラムカートリッジと、トナーカートリッジと、ディスプレイまたはスピーカーと、本体メモリと、制御部とを備える。前記ドラムカートリッジは、前記フレームに着脱可能であり、感光体ドラムと、ドラムメモリとを有する。前記ドラムメモリは、前記ドラムカートリッジを識別可能なドラム識別情報と、ドラム寿命情報とを記憶している。前記トナーカートリッジは、前記ドラムカートリッジを介して前記フレームに着脱可能であり、筐体と、トナーメモリとを有する。前記筐体は、トナーを収容可能である。前記トナーメモリは、トナーカートリッジを識別可能なトナー識別情報と、トナー寿命情報とを記憶している。前記本体メモリは、前記ドラム識別情報と、前記ドラム寿命情報と、前記トナー識別情報と、前記トナー寿命情報と、を記憶する。前記制御部は、更新処理と、第１交換タイミング判定処理と、第２交換タイミング判定処理と、第１判定処理と、第２判定処理と、第１エラー出力処理と、第２エラー出力処理とを実行させる。前記更新処理は、前記画像形成装置により画像形成動作が実行された後に、前記本体メモリに記憶された前記ドラム寿命情報と前記トナー寿命情報とを更新する。前記第１交換タイミング判定処理は、前記更新処理により更新された前記ドラム寿命情報を参照して、前記ドラムカートリッジの交換タイミングか否かを判定する。前記第２交換タイミング判定処理は、前記更新処理により更新された前記トナー寿命情報を参照して、前記トナーカートリッジの交換タイミングか否かを判定する。前記第１判定処理は、前記本体メモリに記憶された前記ドラム識別情報と、前記ドラムメモリに記憶された前記ドラム識別情報とが一致するか否かを判定する。前記第２判定処理は、前記本体メモリに記憶された前記トナー識別情報と、前記トナーメモリに記憶された前記トナー識別情報とが一致するか否かを判定する。前記第１エラー出力処理は、前記第１判定処理により、前記本体メモリに記憶された前記ドラム識別情報と、前記ドラムメモリに記憶された前記ドラム識別情報とが一致せず、かつ、前記第２判定処理により、前記本体メモリに記憶された前記トナー識別情報と、前記トナーメモリに記憶された前記トナー識別情報とが一致しない場合であって、前記第１交換タイミング判定処理により前記ドラムカートリッジの交換タイミングではないと判定された場合に、前記ディスプレイまたは前記スピーカーによりエラーを出力させる。前記第２エラー出力処理は、前記第１判定処理により、前記本体メモリに記憶された前記ドラム識別情報と、前記ドラムメモリに記憶された前記ドラム識別情報とが一致せず、かつ、前記第２判定処理により、前記本体メモリに記憶された前記トナー識別情報と、前記トナーメモリに記憶された前記トナー識別情報とが一致しない場合であって、前記第２交換タイミング判定処理により前記トナーカートリッジの交換タイミングではないと判定された場合に、前記ディスプレイまたは前記スピーカーによりエラーを出力させる。
【０００９】
本願の第２の観点では、第１の観点に係る画像形成装置において、前記制御部は、前記画像形成装置により画像形成動作が実行される前に、第１記憶処理と、第２記憶処理とを実行させる。前記第１記憶処理では、前記フレームに前記ドラムカートリッジが装着された状態において、前記ドラムメモリから前記ドラム識別情報と前記ドラム寿命情報とを読み出し、前記本体メモリに記憶させる。前記第２記憶処理では、前記ドラムカートリッジに前記トナーカートリッジが装着された状態において、前記トナーメモリから前記トナー識別情報と前記トナー寿命情報とを読み出し、前記本体メモリに記憶させる。
【００１０】
本願の第３の観点では、第１の観点または第２の観点に係る画像形成装置において、前記制御部は、前記第１交換タイミング判定処理が実行された後に、第１読出処理と、第２読出処理とを実行させる。前記第１読出処理では、前記フレームに装着された前記ドラムカートリッジの前記ドラムメモリから、前記ドラム識別情報を読み出す。前記第２読出処理では、前記第２交換タイミング判定処理が実行された後に、前記フレームに装着された前記トナーカートリッジの前記トナーメモリから、前記トナー識別情報を読み出す。
【００１１】
本願の第４の観点では、第３の観点に係る画像形成装置において、前記制御部は、第１判定処理と、第２判定処理とを実行させる。前記第１判定処理では、前記制御部は、前記第１読出処理が実行された後に、前記第１記憶処理により前記本体メモリに記憶された前記ドラム識別情報と、前記第１読出処理により読み出された前記ドラム識別情報とが一致するか否かを判定する。前記第２判定処理では、前記制御部は、前記第２読出処理が実行された後に、前記第２記憶処理により前記本体メモリに記憶された前記トナー識別情報と、前記第２読出処理により読み出された前記トナー識別情報とが一致するか否かを判定する。
【００１２】
本願の第５の観点では、第１の観点から第４の観点のいずれか１つに係る画像形成装置において、前記本体メモリは、第１閾値と、第２閾値とを記憶可能である。前記第１閾値は、前記ドラムカートリッジの前記ドラム寿命情報に関する閾値である。前記第２閾値は、前記トナーカートリッジの前記トナー寿命情報に関する閾値である。前記制御部は、前記第１交換タイミング判定処理において、前記更新処理により更新された前記ドラム寿命情報と前記第１閾値とを比較することにより、前記ドラムカートリッジの交換タイミングか否かを判定する。また、前記制御部は、前記第２交換タイミング判定処理において、前記更新処理により更新された前記トナー寿命情報と前記第２閾値とを比較することにより、前記トナーカートリッジの交換タイミングか否かを判定する。
【００１３】
本願の第６の観点では、第１の観点から第４の観点のいずれか１つに係る画像形成装置において、前記ドラムメモリは、前記更新処理により更新された前記ドラム寿命情報を記憶可能である。また、前記トナーメモリは、前記更新処理により更新された前記トナー寿命情報を記憶可能である。前記制御部は、前記第１交換タイミング判定処理において、前記本体メモリに記憶された前記ドラム寿命情報と、前記フレームに装着された前記ドラムカートリッジの前記ドラムメモリから読み出した前記ドラム寿命情報と、を比較することにより、前記ドラムカートリッジの交換タイミングか否かを判定する。また、前記制御部は、前記第２交換タイミング判定処理において、前記本体メモリに記憶された前記トナー寿命情報と、前記フレームに装着された前記トナーカートリッジの前記トナーメモリから読み出した前記トナー寿命情報と、を比較することにより、前記トナーカートリッジの交換タイミングか否かを判定する。
【００１４】
本願の第７の観点では、第１の観点から第６の観点のいずれか１つに係る画像形成装置において、前記第１交換タイミング判定処理により、前記ドラムカートリッジの交換タイミングではないと判定された場合に、前記フレームに装着された前記ドラムカートリッジの前記ドラム寿命情報および前記ドラム識別情報は、前記本体メモリに書き込まない。加えて、前記第２交換タイミング判定処理により、前記トナーカートリッジの交換タイミングではないと判定された場合に、前記フレームに装着された前記トナーカートリッジの前記トナー寿命情報および前記トナー識別情報は、前記本体メモリに書き込まない。
【００１５】
本願の第８の観点では、第１の観点から第７の観点のいずれか１つに係る画像形成装置において、前記トナーカートリッジは、前記ドラムカートリッジに装着された状態で、前記フレームに対して装着される。
【００１６】
本願の第９の観点では、第３の観点または第４の観点に係る画像形成装置において、前記制御部は、前記第１判定処理により、前記本体メモリに記憶された前記ドラム識別情報と、前記第１読出処理により読み出された前記ドラム識別情報とが一致しないと判定され、かつ、前記第２判定処理により、前記本体メモリに記憶された前記トナー識別情報と、前記第２読出処理により読み出された前記トナー識別情報とが一致しないと判定された場合に、前記第１交換タイミング判定処理および前記第２交換タイミング判定処理を実行する。
【００１７】
本願の第１０の観点では、第９の観点に係る画像形成装置において、前記制御部は、前記第１判定処理により、前記本体メモリに記憶された前記ドラム識別情報と、前記第１読出処理により読み出された前記ドラム識別情報とが一致しないと判定され、かつ、前記第２判定処理により、前記本体メモリに記憶された前記トナー識別情報と、前記第２読出処理により読み出された前記トナー識別情報とが一致すると判定された場合、および、前記第１判定処理により、前記本体メモリに記憶された前記ドラム識別情報と、前記第１読出処理により読み出された前記ドラム識別情報とが一致すると判定され、かつ、前記第２判定処理により、前記本体メモリに記憶された前記トナー識別情報と、前記第２読出処理により読み出された前記トナー識別情報とが一致しないと判定された場合に、前記第１交換タイミング判定処理および前記第２交換タイミング判定処理を実行しない。
【００１８】
本願の第１１の観点では、第１の観点から第１０の観点のいずれか１つに係る画像形成装置において、前記トナーカートリッジは、現像ローラを有する。また、前記ドラムカートリッジおよび前記トナーカートリッジが前記フレームに取り付けられたとき、前記現像ローラが前記感光体ドラムに接触する。
【００１９】
本願の第１２の観点では、第１の観点から第１０の観点のいずれか１つに係る画像形成装置において、前記ドラムカートリッジは、現像ローラを有する。
【００２０】
本願の第１３の観点では、第１１の観点または第１２の観点に係る画像形成装置において、前記ドラム寿命情報は、前記感光体ドラムの回転数、前記現像ローラの回転数、および印刷枚数、のうちの少なくともいずれかの情報である。また、前記トナー寿命情報は、前記現像ローラの回転数、印刷枚数、および出力ドット数、のうちの少なくともいずれかの情報である。
【００２１】
本願の第１４の観点では、第１の観点から第１３の観点のいずれか１つに係る画像形成装置において、前記制御部は、前記第１エラー出力処理または前記第２エラー出力処理において、メッセージを前記ディスプレイに表示する。
【００２２】
本願の第１５の観点では、第１４の観点に係る画像形成装置において、前記メッセージは、前記フレームに装着した前記ドラムカートリッジまたは前記トナーカートリッジをそのまま用いるか、あるいは前記フレームに装着した前記ドラムカートリッジまたは前記トナーカートリッジを取り外して代わりに直前に装着していた前記ドラムカートリッジまたは前記トナーカートリッジを装着し直すか、をユーザに選択させるメッセージである。
【００２３】
本願の第１６の観点では、第１の観点から第１５の観点のいずれか１つに係る画像形成装置において、前記制御部は、前記第１判定処理および前記第２判定処理を実行した後に、前記第１交換タイミング判定処理および前記第２交換タイミング処理を実行する。
【発明の効果】
【００２４】
本願の第１の観点から第１６の観点によれば、交換が不要なカートリッジが交換されてしまった場合に、ユーザに、カートリッジの交換が妥当であったかの再確認を促すことができる。
【００２５】
ここで、フレームに対してドラムカートリッジおよびトナーカートリッジの両方が着脱可能な構成の場合、ドラムカートリッジおよびトナーカートリッジの一方のカートリッジが、残り寿命が少なくなって新しいカートリッジへの交換が必要になったときに、ユーザの誤りにより、交換が必要ではない他方のカートリッジまでも、交換してしまう虞がある。この点、本願の第１の観点によれば、ドラムカートリッジおよびトナーカートリッジの両方が交換された場合に、第１または第２交換タイミング判定処理によりそれぞれのカートリッジについて交換が必要であったかを判定し、交換タイミングではないと判定された場合にエラーを出力する。その結果、ユーザに、カートリッジの交換が妥当であったかの再確認を促すことができる。
【００２６】
本願の第５の観点によれば、第１閾値および第２閾値を設定することにより、ドラムカートリッジまたはトナーカートリッジの交換が妥当であったかを、判断することができる。
【００２７】
本願の第６の観点によれば、例えば、交換後のドラムカートリッジおよびトナーカートリッジの一方の寿命が、交換前のドラムカートリッジおよびトナーカートリッジの一方の寿命よりも短くなってしまう場合に、交換タイミングではないと判定することができる。これにより、交換することによってかえって画像形成装置の運用コストの増大や、環境への負荷の増大を招いてしまう事態を回避することができる。
【００２８】
本願の第７の観点によれば、ユーザが誤って交換後のカートリッジとして装着してしまったドラムカートリッジまたはトナーカートリッジについての、寿命情報および識別情報は、本体メモリおよびドラムメモリ／トナーメモリには書き込まれない。よって、新品のカートリッジが、ユーザにより誤ってフレームに装着されたことによって、後に使用済みのカートリッジとして取り扱われてしまうことを防止することができる。
【００２９】
ここで、ドラムカートリッジとトナーカートリッジとをユニット化してフレームに取り付ける場合、とりわけ、ユーザが誤って、交換が必要なドラムカートリッジおよびトナーカートリッジの一方を交換する際に、交換が不要なドラムカートリッジおよびトナーカートリッジの他方までも交換してしまう虞が大きい。この点、本願の第８の観点によれば、交換が不要な他方のドラムカートリッジまたはトナーカートリッジまでもが交換されてしまったときに、ユーザに再確認を促すことができる。
【００３０】
本願の第１０の観点によれば、カートリッジの交換タイミングであったか否かを判断するための処理工数を少なく抑えることができ、短時間で効率よく交換の妥当性の判断を行うことが可能となる。
【００３１】
本願の第１４の観点によれば、メッセージをディスプレイに表示することで、ユーザが、ドラムカートリッジまたはトナーカートリッジの交換について再確認が必要であることを容易に把握することができる。その結果、ユーザは、必要に応じて、装着した交換後のカートリッジを取り外して、交換前のカートリッジを装着する等の対応をとることができる。
【００３２】
本願の第１５の観点によれば、ユーザにエラーに対する対応を選択させることにより、画像形成装置を流動的に運用することが可能となる。
【図面の簡単な説明】
【００３３】
【図１】画像形成装置の概略図である。
【図２】画像形成装置の電気的な構成を示したブロック図である。
【図３】制御部が実行する寿命書込処理の流れを示したフローチャートである。
【図４】制御部が実行する交換判定処理の流れを示したフローチャートである。
【図５】制御部が実行する交換ミス判定処理の流れを示したフローチャートである。
【図６】制御部が実行する印刷準備処理の流れを示したフローチャートである。
【図７】ディスプレイに表示されるメッセージの例を示した図である。
【図８】第２実施形態の交換ミス判定処理の流れを示したフローチャートである。
【図９】第３実施形態の交換ミス判定処理の流れを示したフローチャートである。
【図１０】第３実施形態の交換ミス判定処理の流れを示したフローチャートである。
【図１１】第３実施形態の交換ミス判定処理の流れを示したフローチャートである。
【図１２】第３実施形態の交換ミス判定処理の流れを示したフローチャートである。
【図１３】第３実施形態においてディスプレイに表示されるメッセージの例を示した図である。
【図１４】第３実施形態においてディスプレイに表示されるメッセージの例を示した図である。
【発明を実施するための形態】
【００３４】
以下、本発明の実施形態について、添付図面を参照しつつ説明する。
【００３５】
＜１．第１実施形態＞
＜１−１．画像形成装置の構成について＞
図１は、画像形成装置１の概略図である。画像形成装置１は、電子写真方式のプリンタである。画像形成装置１の例としては、ＬＥＤプリンタが挙げられる。図１に示すように、画像形成装置１は、ケーシング１０、４つのドラムカートリッジ２０、４つのトナーカートリッジ３０、４つの光源ユニット４０、転写ベルト６０、制御部８０、ディスプレイ９０、およびスピーカー９５を備えている。
【００３６】
ケーシング１０は、フレーム１１とカバー１２とを有する。４つのドラムカートリッジ２０、４つのトナーカートリッジ３０、４つの光源ユニット４０、転写ベルト６０、および制御部８０は、ケーシング１０に収容される。また、ディスプレイ９０とスピーカー９５は、ケーシング１０の外表面に位置する。フレーム１１は、４つのカートリッジ保持部１３を有する。各カートリッジ保持部１３は、開口１３０を有する。カバー１２は、図１中に二点鎖線で示した閉鎖位置と、実線で示した開放位置との間で、回動可能である。カバー１２が閉鎖位置に配置されたときには、４つの開口１３０が、カバー１２により覆われる。カバー１２が開放位置に配置されたときには、４つの開口１３０が開放される。
【００３７】
ドラムカートリッジ２０は、トナーカートリッジ３０を装着した状態で、カートリッジ保持部１３に着脱可能である。別の言い方をすれば、ドラムカートリッジ２０にトナーカートリッジ３０が装着されたものを、プロセスカートリッジとする。プロセスカートリッジは、カートリッジ保持部１３に着脱可能である。
【００３８】
ドラムカートリッジ２０は、感光体ドラム２１を有する。感光体ドラム２１は、円筒状の部材である。感光体ドラム２１は、ドラム軸について回転可能である。感光体ドラム２１の外周面は、感光材料に覆われている。また、ドラムカートリッジ２０は、ドラムメモリ２２を有する。ドラムメモリ２２は、情報の読み出しおよび書き込みが可能な記録媒体である。ドラムメモリ２２は、例えばフラッシュＲＯＭまたはＥＥＰＲＯＭである。
【００３９】
ドラムメモリ２２は、ドラムカートリッジ２０に関する情報を記憶している。具体的には、ドラムメモリ２２は、少なくとも、個々のドラムカートリッジ２０を識別可能なドラム識別情報と、感光体ドラム２１の寿命を示すドラム寿命情報とを、記憶している。ドラム識別情報は、例えば、シリアルナンバーである。ドラム寿命情報は、ドラムカートリッジ２０の交換時期か否かを判定可能な公知の様々な情報を採用し得る。ドラム寿命情報は、例えば、感光体ドラム２１の回転数、または感光体ドラム２１の印刷枚数の少なくともいずれかとしてもよい。本実施形態において、「感光体ドラム２１の回転数」は、ドラムカートリッジ２０が新品に交換されてから、制御部８０が後述する寿命更新処理を実行するまでの感光体ドラム２１の回転数である。本実施形態において、「感光体ドラム２１の印刷枚数」は、ドラムカートリッジ２０が新品に交換されてから、制御部８０が後述する寿命更新処理を実行するまでの感光体ドラム２１の印刷枚数である。また、ドラムメモリ２２は、ドラムカートリッジ２０の適合機種、ドラムカートリッジ２０の仕様、ドラムカートリッジ２０が新品であるか否かを示す情報、ドラムカートリッジ２０のエラー履歴などの情報を、記憶していてもよい。
【００４０】
トナーカートリッジ３０は、ドラムカートリッジ２０に着脱可能である。トナーカートリッジ３０は、現像剤であるトナーを収容可能な筐体３９を有する。４つのトナーカートリッジ３０は、互いに異なる色（例えば、シアン、マゼンタ、イエロー、およびブラックの各色）のトナーを収容する。また、本実施形態のトナーカートリッジ３０は、現像ローラ３１を有する。現像ローラ３１は、円筒状の部材である。現像ローラ３１は、現像軸について回転可能である。ドラムカートリッジ２０にトナーカートリッジ３０が装着されると、感光体ドラム２１の外周面は、現像ローラ３１の外周面と接触する。また、トナーカートリッジ３０は、トナーメモリ３２を有する。トナーメモリ３２は、情報の読み出しおよび書き込みが可能な記録媒体である。トナーメモリ３２は、例えば、フラッシュＲＯＭまたはＥＥＰＲＯＭである。
【００４１】
トナーメモリ３２は、トナーカートリッジ３０に関する情報を記憶している。トナーメモリ３２は、少なくとも、個々のトナーカートリッジ３０を識別可能なトナー識別情報と、トナーの寿命の指標を示すトナー寿命情報とを、記憶している。トナー識別情報は、例えば、シリアルナンバーである。トナー寿命情報は、トナーカートリッジ３０の交換時期か否かを判定可能な公知の様々な情報を採用し得る。トナー寿命情報は、例えば、現像ローラ３１の回転数、現像ローラ３１の印刷枚数、および出力ドット数の少なくともいずれかとしてもよい。本実施形態において、「現像ローラ３１の回転数」は、トナーカートリッジ３０が新品に交換されてから、制御部８０が後述する寿命更新処理を実行するまでの現像ローラ３１の回転数である。本実施形態において、「現像ローラ３１の印刷枚数」は、トナーカートリッジ３０が新品に交換されてから、制御部８０が後述する寿命更新処理を実行するまでの現像ローラ３１の印刷枚数である。また、トナーメモリ３２は、トナーカートリッジ３０の適合機種、トナーカートリッジ３０の仕様、新品であるか否かを示す情報、エラー履歴などの情報を、記憶していてもよい。
【００４２】
トナーカートリッジ３０が装着されたドラムカートリッジ２０は、カバー１２が開放位置に配置された状態で、フレーム１１に装着される。このとき、トナーカートリッジ３０が装着されたドラムカートリッジ２０は、開口１３０を通過して、カートリッジ保持部１３に挿入される。
【００４３】
光源ユニット４０は、フレーム１１にドラムカートリッジ２０が装着されたときに、感光体ドラム２１の表面と向かい合う。光源ユニット４０は、フレーム１１にまたはカバー１２に取り付けられている。光源ユニット４０は、複数の光源４１を有する。複数の光源４１は、感光体ドラム２１のドラム軸と平行に配列されている。光源４１は、感光体ドラム２１の外周面に、光を照射可能である。光源４１は、例えばＬＥＤ（発光ダイオード）である。
【００４４】
光源ユニット４０は、制御部８０と電気的に接続されている。制御部８０は、入力された画像データに応じて、光源ユニット４０の複数の光源４１を発光させる。これにより、光源４１は、感光体ドラム２１の外周面に向けて光を照射する。その結果、感光体ドラム２１の外周面の感光材料が、画像データに応じて露光される。なお、光源４１は、感光体ドラム２１のドラム軸と平行に配列されている構成に限るものではない。すなわち、これに代えて、光源ユニット４０は、光源（レーザ発光部）とポリゴンミラーとレンズと反射鏡とを備える構成としてもよい。
【００４５】
転写ベルト６０は、感光体ドラム２１と接触するベルトである。転写ベルト６０は、環状（無端帯）である。感光体ドラム２１の外周面は、転写ベルト６０の外表面と接触する。印刷処理時には、印刷用紙が、転写ベルト６０と感光体ドラム２１との間へ搬送される。駆動ローラ６１は、転写ベルト６０を駆動する。制御部８０は、駆動ローラ６１を回転させる。従動ローラ６２は、駆動ローラ６１の駆動に伴う転写ベルト６０の移動に従い、回転する。
【００４６】
制御部８０は、ＣＰＵ等のプロセッサ８１と、本体メモリ８２とを有する。本体メモリ８２は、情報の読み出しおよび書き込みが可能な記録媒体である。本体メモリ８２は、例えば、フラッシュＲＯＭまたはＥＥＰＲＯＭである。図２に示すように、本実施形態では、本体メモリ８２は、制御部８０上に位置するが、これに代えて、本体メモリ８２が、制御部８０の外部に位置していてもよい。
【００４７】
本体メモリ８２は、画像形成装置１の動作を制御するためのコンピュータプログラムを記憶している。また、本体メモリ８２は、ドラム識別情報、ドラム寿命情報、トナー識別情報、およびトナー寿命情報を記憶可能である。さらに、本実施形態の本体メモリ８２は、制御部８０がドラムカートリッジ２０の交換時期か否かを判定するための第１閾値、および、トナーカートリッジ３０の交換時期か否かを判定するための第２閾値を記憶している。プロセッサ８１は、本体メモリ８２に記憶されたコンピュータプログラムに従って、種々の処理を実行する。プロセッサ８１は、後述する第１記憶処理、第２記憶処理、更新処理、第１交換タイミング判定処理、第２交換タイミング判定処理、第１読出処理、第２読出処理、第１判定処理、第２判定処理、第１エラー出力処理、および第２エラー出力処理を実行する。
【００４８】
ディスプレイ９０は、制御部８０からの指令に従って、画像形成装置１の動作、およびエラー（警告）に関する情報を表示する。ディスプレイ９０は、制御部８０に電気的に接続される。本実施形態のディスプレイ９０は、エラー出力部として機能する。加えて、本実施形態の画像形成装置１は、エラー出力部として、スピーカー９５も備える。スピーカー９５は、制御部８０に電気的に接続される。スピーカー９５は、画像形成装置１の動作、およびエラー（警告）に関する情報を音声として出力する。なお、ディスプレイ９０およびスピーカー９５のうちのいずれか一方は、省略してもよい。
【００４９】
図２は、トナーカートリッジ３０が装着された状態のドラムカートリッジ２０がフレーム１１に装着されたときの、制御部８０と、ドラムメモリ２２およびトナーメモリ３２との接続を示している。また、図２は、制御部８０と、ディスプレイ９０およびスピーカー９５との接続も示している。トナーカートリッジ３０が装着された状態のドラムカートリッジ２０がフレーム１１に装着されると、ドラムメモリ２２は、フレーム１１のドラム用電気的コネクタを介して、制御部８０と電気的に接続される。これにより、プロセッサ８１は、ドラムメモリ２２の情報の読み出しおよびドラムメモリ２２への情報の書き込みが可能となる。また、ドラムカートリッジ２０に装着された状態のトナーカートリッジ３０がフレーム１１に装着されると、トナーメモリ３２は、フレーム１１のトナー用電気的コネクタを介して、制御部８０と電気的に接続される。これにより、プロセッサ８１は、トナーメモリ３２の情報の読み出しおよびトナーメモリ３２への情報の書き込みが可能となる。なお、トナーメモリ３２は、ドラムメモリ２２を介して、制御部８０と電気的に接続されてもよい。
【００５０】
制御部８０は、印刷処理の実行時に、図示を省略したモータを駆動させる。感光体ドラム２１および現像ローラ３１は、このモータの駆動力によって、回転する。また、制御部８０は、光源ユニット４０の光源４１を発光させる。このとき光源４１の光は、感光体ドラム２１の外周面に照射される。これにより、印刷すべき画像の静電潜像が、感光体ドラム２１の外周面に形成される。トナーカートリッジ３０のトナーは、現像ローラ３１を介して、感光体ドラム２１の静電潜像上に供給される。これにより、トナー像が、感光体ドラム２１の外周面に形成される。その後、印刷用紙は、感光体ドラム２１と転写ベルト６０との間へ搬送される。これにより、感光体ドラム２１の外周面から印刷用紙へ、トナー像が転写される。印刷用紙にトナー像が転写された状態で、印刷用紙は、画像形成装置１内の定着ユニットに搬送される。これにより、印刷用紙に転写されたトナー像が、印刷用紙上に熱定着される。その結果、印刷用紙に画像が印刷される。
【００５１】
＜１−２．画像形成装置の処理について＞
続いて、画像形成装置１の制御部８０が実行する処理について、図３から図７を参照して説明する。
【００５２】
＜１−２−１．寿命書込処理＞
初めに、印刷処理の実行の前後において、制御部８０が実行する処理について、図３を参照して説明する。画像形成装置１の印刷準備処理（ウォーミングアップ処理）が完了した状態において、制御部８０は、印刷要求があったか否かを判定する。具体的には、制御部８０は、印刷すべき画像が入力されたか否かを判定する。制御部８０が印刷要求があったと判定した場合（ステップＳ１：ｙｅｓ）、制御部８０は、続いて、現像ローラ３１、感光体ドラム２１、光源ユニット４０、および転写ベルト６０等を動作させる。すなわち、制御部８０は、印刷処理（画像形成動作）を実行する（ステップＳ２）。印刷処理を実行した後に、制御部８０は、ドラムメモリ２２および本体メモリ８２と通信して、ドラムメモリ２２に記憶されているドラム寿命情報ＤＬおよび本体メモリ８２に記憶されているドラム寿命情報ＤＬを更新する。また、制御部８０は、トナーメモリ３２および本体メモリ８２と通信して、トナーメモリ３２に記憶されているトナー寿命情報ＴＬおよび本体メモリ８２に記憶されているトナー寿命情報ＴＬを更新する（ステップＳ３：更新処理）。
【００５３】
制御部８０は、印刷要求が無いと判定した場合には（ステップＳ１：ｎｏ）、次に印刷要求があるまで、ステップＳ２〜Ｓ３は行わない。制御部８０は、印刷すべき画像が入力されたか否かを判定し続ける。
【００５４】
＜１−２−２．交換判定処理＞
続いて、印刷処理の実行前において、制御部８０が実行する、ドラムカートリッジ２０またはトナーカートリッジ３０の交換判定処理について、図４を参照して説明する。具体的には、制御部８０は、４つのドラムカートリッジ２０および４つのトナーカートリッジ３０のそれぞれについて、交換されたか否かを判定する。制御部８０は、画像形成装置１の電源がＯＦＦからＯＮに切り替わったとき、または、画像形成装置１の電源がＯＮの状態で、カバー１２が開放位置から閉鎖位置に切り替わったときに、交換判定処理を実行する。なお、以下の説明では、複数のドラムカートリッジ２０および複数のトナーカートリッジ３０のいずれかを指して、「カートリッジ」と称する場合がある。
【００５５】
初めに、制御部８０は、以前に行った交換判定処理において、交換フラグｎがＯＮになっている場合に、交換フラグｎをＯＦＦに切り替える（ステップＳ１１）。なお、「ｎ」は、各カートリッジを識別するための数値である。本実施形態の場合、カートリッジは合計で８つあるので、ｎは１から８までの整数である。
【００５６】
続いて、制御部８０は、現在の交換判定対象のｎについて、ドラムメモリ２２のドラム識別情報またはトナーメモリ３２のトナー識別情報を読み出す（ステップＳ１２）。より具体的には、制御部８０は、交換判定対象のカートリッジが、ドラムカートリッジ２０である場合、フレーム１１に装着されたドラムカートリッジ２０のドラムメモリ２２からドラム識別情報を読み出す（第１読出処理）。一方、制御部８０は、交換判定対象のカートリッジが、トナーカートリッジ３０である場合、フレーム１１に装着されたトナーカートリッジ３０のトナーメモリ３２からトナー識別情報を読み出す（第２読出処理）。
【００５７】
続いて、制御部８０は、交換判定対象のｎについて、カートリッジが交換されたか否かを判定する（ステップＳ１３）。なお、この場合、「交換後のカートリッジ」は、新品のカートリッジであっても、使用済みのカートリッジであってもよい。ステップＳ１３において、制御部８０は、交換判定対象のｎについて、本体メモリ８２に記憶されたドラム識別情報およびトナー識別情報を読み出す。
【００５８】
その後、制御部８０は、ステップＳ１３において、本体メモリ８２に記憶されたドラム識別情報と、第１読出処理により読み出されたドラム識別情報とが一致するか否かを判定する（第１判定処理）。本体メモリ８２に記憶されたドラム識別情報と、第１読出処理により読み出されたドラム識別情報が一致しなかった場合に、制御部８０は、ドラムカートリッジ２０が交換されたと判定する。また、制御部８０は、ステップＳ１３において、本体メモリ８２に記憶されたトナー識別情報と、第２読出処理により読み出されたトナー識別情報とが一致するか否かを判定する（第２判定処理）。本体メモリ８２に記憶されたトナー識別情報と、ステップＳ１２の第２読出処理により読み出されたトナー識別情報が一致しなかった場合に、制御部８０は、トナーカートリッジ３０が交換されたと判定する。
【００５９】
制御部８０は、第１判定処理または第２判定処理において、カートリッジが交換されたと判定されたら（ステップＳ１３：ｙｅｓ）、カートリッジの交換フラグｎをＯＮとする（ステップＳ１４）。一方、制御部８０は、第１判定処理または第２判定処理において、カートリッジが交換されていないと判定されたら（ステップＳ１３：ｎｏ）、交換フラグｎをＯＦＦのままとする。
【００６０】
交換判定対象のｎについて、ステップＳ１３〜Ｓ１４が終了したら、制御部８０は、続いて、１から８の全てのｎについての交換判定処理が終了したか否かを判定する（ステップＳ１５）。その結果、全てのｎ、すなわち全てのカートリッジについての交換判定処理が終了していたら（ステップＳ１５：ｙｅｓ）、制御部８０は、後述する交換ミス検出処理を実行する。一方、交換判定処理を行っていないカートリッジが残っている場合（ステップＳ１５：ｎｏ）、制御部８０は、ｎをｎ＋１へと切り替えて、ステップＳ１１〜Ｓ１５の処理を再び実行する。別の言い方をすれば、制御部８０は、全てのｎについての交換判定が終了するまで、ステップＳ１１〜Ｓ１５の処理を実行する。
【００６１】
＜１−２−３．交換ミス検出処理＞
図４に示した処理の後、制御部８０は、図５に示した交換ミス検出処理を実行する。具体的には、制御部８０は、ドラムカートリッジ２０およびドラムカートリッジ２０に装着されたトナーカートリッジ３０のいずれか一方のみ交換が必要な場合に、ユーザが誤って、ドラムカートリッジ２０およびドラムカートリッジ２０に装着されたトナーカートリッジ３０の両方を交換してしまった場合を、検出する。より具体的には、制御部８０は、ドラムカートリッジ２０の交換が必要であって、トナーカートリッジ３０の交換が不要な場合に、ユーザが誤って、トナーカートリッジ３０までも交換してしまったような場合を、検出する。また、制御部８０は、トナーカートリッジ３０の交換が必要であって、ドラムカートリッジ２０の交換が不要な場合に、ユーザが誤って、ドラムカートリッジ３０までも交換してしまったような場合を、検出する。
【００６２】
まず初めに、制御部８０は、ドラムカートリッジ２０およびドラムカートリッジ２０に装着されたトナーカートリッジ３０の両方が交換されたか否かを判定する（ステップＳ２１）。具体的には、制御部８０は、ドラムカートリッジ２０およびドラムカートリッジ２０に装着されたトナーカートリッジ３０の交換フラグｎが、いずれもＯＮとなっているか否かを判定する。その結果、制御部８０が、ドラムカートリッジ２０およびトナーカートリッジ３０の両方が交換されなかったと判定した場合（ステップＳ２１：ｎｏ）、制御部８０は、後述の印刷準備処理を実行する。一方、制御部８０が、ドラムカートリッジ２０およびトナーカートリッジ３０の両方が交換されたと判定した場合（ステップＳ２１：ｙｅｓ）、制御部８０は、ユーザが誤ってドラムカートリッジ２０またはトナーカートリッジ３０を交換しているか否かを判定する。なお、ドラムカートリッジ２０およびトナーカートリッジ３０の両方が交換された場合、制御部８０は、以降の処理（ステップＳ２２〜Ｓ２８）を実行する。
【００６３】
続いて、制御部８０は、ドラムカートリッジ２０を交換したことが妥当であったか否かを判定するために、交換前のドラムカートリッジ２０のドラム寿命情報を取得する。具体的には、制御部８０は、本体メモリ８２から、交換前のドラムカートリッジ２０のドラム寿命情報ＤＬを読み出す（ステップＳ２２）。また、制御部８０は、本体メモリ８２からドラムの寿命に関する第１閾値Ｔｈ１を読み出す。そして、制御部８０は、本体メモリ８２から読み出したドラム寿命情報ＤＬと、第１閾値Ｔｈ１とを比較する（ステップＳ２３、第１交換タイミング判定処理）。
【００６４】
本体メモリ８２から読み出したドラム寿命情報ＤＬは、例えば、更新処理により更新されたドラム寿命情報ＤＬである。このドラム寿命情報ＤＬは、例えば、感光体ドラム２１の回転数であり、第１閾値Ｔｈ１は、例えば、感光体ドラム２１の回転数の閾値である。ドラム寿命情報ＤＬが第１閾値Ｔｈ１よりも小さい場合には、制御部８０は、ドラムカートリッジ２０の交換が妥当でなかったと判定する。言い換えれば、制御部８０は、ドラムカートリッジ２０の交換時期ではないのに、ユーザが誤ってドラムカートリッジ２０を交換してしまったと判定する。制御部８０は、ドラム寿命情報ＤＬが第１閾値Ｔｈ１よりも小さいと判定した場合（ステップＳ２３：ｙｅｓ）、ディスプレイ９０およびスピーカー９５によりエラーを出力させる（ステップＳ２４、第１エラー処理）。具体的には、制御部８０は、図７に示したようなメッセージをディスプレイ９０に表示させる。図７に示すように、メッセージは、フレーム１１に装着したドラムカートリッジ２０を使用する（「交換処理を実行する」）か、あるいはフレーム１１に装着したドラムカートリッジ２０を取り外して交換前のドラムカートリッジ２０を装着し直す（「交換処理を実行しない」）か、をユーザに選択させるメッセージである。ユーザに、フレーム１１に装着したドラムカートリッジ２０を使用するか、あるいはフレーム１１に装着したドラムカートリッジ２０を取り外して交換前のドラムカートリッジ２０を装着し直すか、を選択させる方式は、公知の様々な方式を採用し得るが、例えばチェックボックス式である。
【００６５】
本実施形態では、制御部８０は、ディスプレイ９０にメッセージを表示させるのに加えて、上記のメッセージを読み上げた音声、または警告音を、スピーカー９５から出力させる。これらにより、ユーザは、ドラムカートリッジ２０の交換について再確認が必要であることを、容易に把握することができる。
【００６６】
一方、ドラム寿命情報ＤＬは、例えば、感光体ドラム２１の回転数であり、第１閾値Ｔｈ１は、例えば、感光体ドラム２１の回転数の閾値である。本体メモリ８２から読み出したドラム寿命情報ＤＬが第１閾値Ｔｈ１以上のとき、制御部８０は、ドラムカートリッジ２０の交換が妥当であったと判定する。言い換えれば、制御部８０は、ドラムカートリッジ２０の交換時期となったため、ユーザがドラムカートリッジ２０を交換したと判定する。
【００６７】
制御部８０は、ドラム寿命情報ＤＬが第１閾値Ｔｈ１以上であると判定した場合（ステップＳ２３：ｎｏ）、続いてトナーカートリッジ３０を交換したことが妥当であったか否かを判定する。そのために、制御部８０は、交換前のトナーカートリッジ３０のトナー寿命情報を取得する。具体的には、本体メモリ８２から、交換前のトナーカートリッジ３０のトナー寿命情報ＴＬを読み出す（ステップＳ２５）。また、制御部８０は、本体メモリ８２からトナーの寿命に関する第２閾値Ｔｈ２を読み出す。そして、制御部８０は、本体メモリ８２から読み出したトナー寿命情報ＴＬと、第２閾値Ｔｈ２とを比較する（ステップＳ２６、第２交換タイミング判定処理）。
【００６８】
本体メモリ８２から読み出したトナー寿命情報ＴＬは、上述の更新処理により更新されたトナー寿命情報ＴＬである。トナー寿命情報ＴＬは、例えば、現像ローラ３１の回転数であり、第２閾値Ｔｈ２は、例えば、現像ローラ３１の回転数の閾値である。その場合、トナー寿命情報ＴＬが第２閾値Ｔｈ２よりも小さい場合には、制御部８０は、トナーカートリッジ３０の交換が妥当でなかったと判定する。言い換えれば、制御部８０は、トナーカートリッジ３０の交換時期ではないのに、ユーザが誤ってトナーカートリッジ３０を交換してしまったと判定する。制御部８０は、トナー寿命情報ＴＬが第２閾値Ｔｈ２よりも小さいと判定した場合（ステップＳ２６：ｙｅｓ）、ディスプレイ９０およびスピーカー９５によりエラーを出力させる（ステップＳ２４、第２エラー処理）。第２エラー処理におけるエラーの出力の仕方は、第１エラー処理と同様であるので、詳細な説明は省略する。
【００６９】
一方、トナー寿命情報ＴＬは、例えば現像ローラ３１の回転数であり、第２閾値Ｔｈ２は、例えば現像ローラ３１の回転数の閾値である。その場合に、本体メモリ８２から読み出したトナー寿命情報ＴＬが第２閾値Ｔｈ２以上のとき、制御部８０は、トナーカートリッジ３０の交換が妥当であったと判定する。言い換えれば、制御部８０は、トナーカートリッジ３０の交換時期となったため、ユーザがトナーカートリッジ３０を交換したと判定する。この場合、制御部８０は、ドラムカートリッジ２０およびトナーカートリッジ３０の両方の交換が妥当であったと判定する。制御部８０は、トナー寿命情報ＴＬが第２閾値Ｔｈ２以上であると判定した場合（ステップＳ２６：ｎｏ）、後述する印刷準備処理を実行する。
【００７０】
一方、制御部８０がドラムカートリッジ２０またはトナーカートリッジ３０のいずれかの交換が妥当ではないと判定した場合、制御部８０は、第１エラー処理および第２エラー処理のいずれか（ステップＳ２４）を実行する。具体的には、制御部８０がドラムカートリッジ２０の交換が妥当であるが、トナーカートリッジ３０の交換が妥当ではないと判定した場合、制御部８０は、第２エラー処理（ステップＳ２４）を実行する。また、制御部８０がトナーカートリッジ３０の交換が妥当であるが、ドラムカートリッジ２０の交換が妥当ではないと判定した場合、制御部８０は、第１エラー処理（ステップＳ２４）を実行する。その後、制御部８０は、画像形成装置１の電源がＯＦＦとされてからＯＮに切り替わったか、あるいは、画像形成装置１の電源がＯＮの状態で、カバー１２が開放位置から閉鎖位置に切り替わったかを、判定する（ステップＳ２７）。制御部８０が画像形成装置１の電源がＯＦＦとされてからＯＮに切り替わった、あるいは、画像形成装置１の電源がＯＮの状態で、カバー１２が開放位置から閉鎖位置に切り替わったと、判定した場合には（（ステップＳ２７：ｙｅｓ）、上述のステップＳ１１に戻り、制御部８０は、交換判定処理および交換ミス検出処理を実行する。これにより、制御部８０は、交換ミスが正されたかを判定する。
【００７１】
一方、制御部８０が、画像形成装置１の電源がＯＦＦとされてからＯＮに切り替わった、あるいは、画像形成装置１の電源がＯＮの状態で、カバー１２が開放位置から閉鎖位置に切り替わったと、判定できなかった場合には（ステップＳ２７：ｎｏ）、制御部８０は、エラーが出力されたカートリッジについての交換を維持するか否かの再度の問い合わせを、ディスプレイ９０に表示させる。具体的には、制御部８０は、エラーが出力されたカートリッジについての交換を強制実行することを示すメッセージをディスプレイ９０に表示させる。より具体的には、制御部８０は、フレーム１１に装着したカートリッジをそのまま使用するか、あるいはフレーム１１に装着したカートリッジを取り外して交換前のカートリッジを装着し直すかを、ユーザに選択させるメッセージを、ディスプレイ９０に表示させる（ステップＳ２８）。その結果、ユーザが、フレーム１１に装着したカートリッジをそのまま使用することを選択した場合（ステップＳ２８：ｙｅｓ）、制御部８０は、後述する印刷準備処理（ステップＳ３２）を開始する。一方、ユーザが、フレーム１１に装着したカートリッジをそのまま使用することを選択しない場合（ステップＳ２８：ｎｏ）、制御部８０が、画像形成装置１の電源がＯＦＦとされてからＯＮに切り替わった、あるいは、画像形成装置１の電源がＯＮの状態で、カバー１２が開放位置から閉鎖位置に切り替わったと、判定するまで、制御部８０は、印刷準備処理を実行しない。
【００７２】
＜１−２−４．第１記憶処理および第２記憶処理＞
図５に示した処理の後、制御部８０は、図６に示した第１記憶処理および第２記憶処理を実行する。すなわち、図６に示した第１記憶処理および第２記憶処理は、交換判定処理および交換ミス検出処理が実行された後の段階で行われる。
【００７３】
制御部８０は、ドラムカートリッジ２０およびドラムカートリッジ２０に装着されたトナーカートリッジ３０の両方が交換されなかったと判定した場合（ステップＳ２１：ｎｏ）、４つのドラムカートリッジ２０のいずれにおいて、交換フラグｎがＯＮになっているか否かを判定する（ステップＳ３１）。ステップＳ３１の判定の結果、交換フラグｎがＯＮの場合、制御部８０は、ドラムカートリッジ２０が交換されたと判定する（ステップＳ３１：ｙｅｓ）。その場合、制御部８０は、フレーム１１にドラムカートリッジ２０が装着された状態において、ドラムメモリ２２からドラムカートリッジ２０のドラム識別情報とドラム寿命情報とを読み出し、本体メモリ８２に記憶させる（ステップＳ３２、第１記憶処理）。また、制御部８０は、ドラム寿命情報の一種として、「新品」であることを示す情報を本体メモリ８２およびドラムメモリ２２から消去し、「使用済み」であることを示す情報を本体メモリ８２およびドラムメモリ２２に書き込む。
【００７４】
また、制御部８０は、４つのトナーカートリッジ３０のいずれかにおいて、交換フラグｎがＯＮになっているか否かにより判定する（ステップＳ３１）。ステップＳ３１の判定の結果、交換フラグｎがＯＮの場合、制御部８０は、トナーカートリッジ３０が交換されたと判定する（ステップＳ３１：ｙｅｓ）。その場合、制御部８０は、フレーム１１にドラムカートリッジ２０を介してトナーカートリッジ３０が装着された状態において、トナーメモリ３２からトナーカートリッジ３０のトナー識別情報とトナー寿命情報とを読み出し、本体メモリ８２に記憶させる（ステップＳ３２、第２記憶処理）。また、制御部８０は、トナー寿命情報の一種として、「新品」であることを示す情報を本体メモリ８２およびトナーメモリ３２から消去し、「使用済み」であることを示す情報を本体メモリ８２およびトナーメモリ３２に書き込む。
【００７５】
＜１−２−５．印刷準備処理＞
第１記憶処理および第２記憶処理の後、制御部８０は、図６に示した印刷準備処理を実行する。第１記憶処理または第２記憶処理を終えた後、制御部８０は、印刷準備処理を実行する（ステップＳ３３）。具体的には、制御部８０は、印刷準備処理において、画像形成装置１のファンを回転させたり、画像形成装置１の定着ユニットのヒータを予熱したり、画像形成装置１の各種センサの故障の有無を確認したり、画像形成装置１の温度センサによってケーシング１０内の温度を確認したりする。これにより、印刷処理を実行するための準備が完了する。
【００７６】
以上に示したように、本実施形態の画像形成装置１が実行する制御処理によれば、制御部８０は、ドラムカートリッジ２０およびトナーカートリッジ３０の両方が交換された場合に、第１交換タイミング判定処理および第２交換タイミング判定処理により、ドラムカートリッジ２０およびトナーカートリッジ３０の交換が必要であったかを判定する。その後、制御部８０は、ドラムカートリッジ２０およびトナーカートリッジ３０の交換が必要でないと判定した場合に、ディスプレイ９０またはスピーカー９５にエラーを出力させる。その結果、ユーザにドラムカートリッジ２０およびトナーカートリッジ３０の交換の再確認を促すことができる。
【００７７】
また、本実施形態の画像形成装置１では、制御部８０は、第１閾値Ｔｈ１および第２閾値Ｔｈ２を設定し、ドラム寿命情報およびトナー寿命情報とそれぞれ比較することにより、ドラムカートリッジ２０またはトナーカートリッジ３０の交換が必要であったかを、判断することができる。
【００７８】
また、本実施形態の画像形成装置１では、制御部８０は、第１交換タイミング判定処理により、ドラムカートリッジ２０の交換時期ではないと判定した場合、フレーム１１に装着されたドラムカートリッジ２０のドラムメモリ２２から読み出されるドラム寿命情報よびドラム識別情報を、本体メモリ８２およびドラムメモリ２２のいずれにも書き込まない。同様に、本実施形態の画像形成装置１では、制御部８０は、第２交換タイミング判定処理により、トナーカートリッジ３０の交換時期ではないと判定した場合、フレーム１１に装着されたトナーカートリッジ３０のトナーメモリ３２から読み出されるトナー寿命情報およびトナー識別情報を、本体メモリ８２およびトナーメモリ３２のいずれにも書き込まない。よって、ユーザによって誤ってフレーム１１に装着された新品のカートリッジが、後に、使用済みのカートリッジとして取り扱われてしまうことを抑制することができる。
【００７９】
また、本実施形態の画像形成装置１では、制御部８０は、ドラムカートリッジ２０およびトナーカートリッジ３０の両方が交換された場合に、第１交換タイミング判定処理および第２交換タイミング判定処理を行う。これにより、判断処理の工数を少なく抑えることができる。
【００８０】
また、本実施形態では、制御部８０は、フレーム１１に装着したカートリッジを使用するか、直前に装着していたカートリッジを装着し直すかを、ユーザに選択させるためのメッセージをディスプレイ９０に表示させる。その結果、フレーム１１に装着したカートリッジを使用するか、交換前のカートリッジを装着し直すかを、ユーザに選択させることができる。
【００８１】
＜２．第２実施形態＞
以下では、第２実施形態に係る画像形成装置１について、図８を参照して説明する。第２実施形態に係る画像形成装置１は、構造的には、第１実施形態に係る画像形成装置１と同様である。そこで、以下では、第１実施形態のものと同様の構成・機能の部材については、同一の符号を付し、重複説明を省略する。また、第２実施形態に係る画像形成装置１で実行される制御処理は、第１実施形態に係る制御処理とは、部分的に異なっている。そこで、以下では、第１実施形態の制御処理と同様のフローについては、同一の符号または名称を付し、重複説明を省略する。
【００８２】
第２実施形態に係る画像形成装置１では、第１実施形態で示したのと同様の、寿命書込処理、交換判定処理、および印刷準備処理が実行される。一方、第２実施形態に係る画像形成装置１では、第１実施形態で示した交換ミス検出処理（図５）に代えて、図８に示した交換ミス検出処理を実行する。
【００８３】
＜２−１．第２実施形態に係る交換ミス検出処理＞
具体的には、第２実施形態の交換ミス検出処理では、制御部８０は、第１実施形態におけるステップＳ２３に代えて、ステップＳ４１〜Ｓ４２を実行する。また、制御部８０は、第１実施形態におけるステップＳ２６に代えて、ステップＳ４３〜Ｓ４４を実行する。
【００８４】
本実施形態においても、制御部８０は、ドラムカートリッジ２０およびトナーカートリッジ３０の両方が交換された場合に（ステップＳ２１：ｙｅｓ）、ドラムカートリッジ２０を交換したことが妥当であったか否かを判定する。そのために、制御部８０は、交換前に装着されていたドラムカートリッジ２０のドラム寿命情報を取得する。具体的には、制御部８０は、本体メモリ８２から、直前に装着されていたドラムカートリッジ２０のドラム寿命情報ＤＬｂを読み出す（ステップＳ２２）。
【００８５】
続いて、制御部８０は、フレーム１１に装着されているドラムカートリッジ２０のドラム寿命情報を取得する。具体的には、制御部８０は、フレーム１１に装着されているドラムカートリッジ２０のドラムメモリ２２から、ドラムカートリッジ２０のドラム寿命情報ＤＬａを読み出す（ステップＳ４１）。そして、制御部８０は、本体メモリ８２から読み出したドラム寿命情報ＤＬｂと、ドラムメモリ２２から読み出したドラム寿命情報ＤＬａとを比較する（ステップＳ４２、第１交換タイミング判定処理）。
【００８６】
ドラム寿命情報ＤＬｂ，ＤＬａは、例えば、感光体ドラム２１の回転数である。制御部８０は、交換後のドラム寿命情報ＤＬａが交換前のドラム寿命情報ＤＬｂと同じかそれ以上の場合には、ドラムカートリッジ２０の交換が妥当でなかったと判定する。言い換えれば、制御部８０は、ドラムカートリッジ２０を交換することにより、ドラムカートリッジ２０の残り寿命が少なくなってしまうと判定する。制御部８０は、交換後のドラム寿命情報ＤＬａが交換前のドラム寿命情報ＤＬｂと同じかそれ以上であると判定した場合（ステップＳ４２：ｎｏ）、ディスプレイ９０およびスピーカー９５によりエラーを出力させる（ステップＳ２４、第１エラー出力処理）。
【００８７】
一方、制御部８０は、交換後のドラム寿命情報ＤＬａが交換前のドラム寿命情報ＤＬｂよりも小さいとき、ドラムカートリッジ２０の交換は妥当であったと判定する。すなわち、制御部８０は、ドラムカートリッジ２０の残り寿命がより長いものに交換されたと判定する。すなわち、制御部８０は、ドラムカートリッジ２０の交換が妥当であったと判定する。
【００８８】
制御部８０は、交換後のドラム寿命情報ＤＬａが交換前のドラム寿命情報ＤＬｂよりも小さいと判定した場合（ステップＳ４２：ｎｏ）、続いてトナーカートリッジ３０を交換したことが妥当であったか否かを判定する。そのために、制御部８０は、交換前に装着されていたトナーカートリッジ３０のトナー寿命情報を取得する。具体的には、制御部８０は、本体メモリ８２から、直前に装着されていたトナーカートリッジ３０のトナー寿命情報ＴＬｂを読み出す（ステップＳ２５）。
【００８９】
続いて、制御部８０は、いまフレーム１１にドラムカートリッジ２０を介して装着されているトナーカートリッジ３０のトナー寿命情報を取得する。具体的には、制御部８０は、フレーム１１に装着されているトナーカートリッジ３０のトナーメモリ３２から、トナーカートリッジ３０のトナー寿命情報ＴＬａを読み出す（ステップＳ４３）。そして、制御部８０は、本体メモリ８２から読み出したトナー寿命情報ＴＬｂと、トナーメモリ３２から読み出したトナー寿命情報ＴＬｂとを比較する（ステップＳ４４、第２交換タイミング判定処理）。
【００９０】
トナー寿命情報ＴＬｂ，ＴＬａは、例えば、現像ローラ３１の回転数である。制御部８０は、交換後のトナー寿命情報ＴＬａが交換前のトナー寿命情報ＴＬｂと同じかそれ以上の場合には、トナーカートリッジ３０の交換が妥当でなかったと判定する。言い換えれば、制御部８０は、トナーカートリッジ３０を交換することにより、トナーカートリッジ３０の残り寿命が少なくなってしまうと判定する。制御部８０は、交換後のトナー寿命情報ＴＬａが交換前のトナー寿命情報ＴＬｂと同じかそれ以上であると判定した場合（ステップＳ４４：ｎｏ）、ディスプレイ９０およびスピーカー９５にエラーを出力させる（ステップＳ２４、第２エラー出力処理）。
【００９１】
一方、制御部８０は、交換後のトナー寿命情報ＴＬａが交換前のトナー寿命情報ＴＬｂよりも小さいとき、トナーカートリッジ３０の交換は妥当であったと判定する。すなわち、制御部８０は、トナーカートリッジ３０の残り寿命がより長いものに交換されたと判定する。すなわち、制御部８０は、トナーカートリッジ３０の交換が妥当であったと判定する。以上より、制御部８０は、ドラムカートリッジ２０およびトナーカートリッジ３０の両方の交換が妥当であったと判定する。制御部８０は、交換後のトナー寿命情報ＴＬａが交換前のトナー寿命情報ＴＬｂよりも小さいと判定した場合（ステップＳ４４：ｙｅｓ）、印刷準備処理を開始する。
【００９２】
以上のように、本実施形態の画像形成装置１が実行する制御処理によれば、交換後のカートリッジの寿命が、交換前のカートリッジの寿命よりも短くなってしまう場合に、交換タイミングではないと判定することができる。
【００９３】
＜３．第３実施形態＞
以下では、第３実施形態に係る画像形成装置１について、図９から図１４を参照して説明する。第３実施形態に係る画像形成装置１は、構造的には、第１実施形態に係る画像形成装置１と同様である。そこで、以下では、第１実施形態のものと同様の構成・機能の部材については、同一の符号を付し、重複説明を省略する。また、第３実施形態に係る画像形成装置１で実行される制御処理は、第１実施形態に係る制御処理とは、部分的に異なっている。そこで、以下では、第１実施形態の制御処理と同様のフローについては、同一の符号または名称を付し、重複説明を省略する。
【００９４】
第３実施形態に係る画像形成装置１では、第１実施形態で示したのと同様の、寿命書込処理、交換判定処理、および印刷準備処理が実行される。一方、第３実施形態に係る画像形成装置１では、第１実施形態で示した交換ミス検出処理（図５）に代えて、図９から図１２に示した交換ミス検出処理を実行する。
【００９５】
＜３−１．第３実施形態に係る交換ミス検出処理＞
第１実施形態では、制御部８０は、ドラムカートリッジ２０およびトナーカートリッジ３０の両方が交換されてしまった場合に、交換ミス検出処理を実行した。これに対し、第３実施形態では、制御部８０は、交換がされたカートリッジおよび交換がされていないカートリッジの全てについて、交換ミス検出処理を実行する。すなわち、制御部８０は、全てのカートリッジについて、直前の残り寿命が閾値以上であったか否かを検出する。
【００９６】
以下では、本実施形態の交換ミス検出処理の流れについて、図９から図１２を参照して説明する。まず初めに、制御部８０は、フレーム１１に装着されていた４つのドラムカートリッジ２０および４つのトナーカートリッジ３０のうちのいずれかが、別のカートリッジに交換されたか否かを判定する（ステップＳ５１）。具体的には、制御部８０は、交換判定処理により、１から８の全てのｎにおいて、交換フラグｎがＯＮとなっているものが存在するか否かの判定をする。その結果、制御部８０は、交換されたカートリッジがないと判定した場合（ステップＳ５１：ｎｏ）、交換ミスは生じていないと判定する。そのため、制御部８０は、交換ミス検出処理を終了する。
【００９７】
一方、制御部８０は、ステップＳ５１の判定の結果、いずれかのカートリッジが交換されていたと判定した場合（ステップＳ５１：ｙｅｓ）、図９中のステップＳ５２の処理を実行する。
【００９８】
続いて、制御部８０は、ステップＳ５２において、交換されたカートリッジについて、交換前のカートリッジの残り寿命が、閾値未満であったか否かを判定する（ステップＳ５２）。すなわち、制御部８０は、交換フラグｎがＯＮであるカートリッジについて、交換前のカートリッジの残り寿命が、「交換を要するレベル」であったか否かの判定をする。なお、以下では、説明を簡潔とするために、残り寿命が「交換を要するレベル」であるものを「不可」と表現し、残り寿命が「交換が不要なレベル」であるものを「可」と表現する。
【００９９】
制御部８０は、ステップＳ５２の判定の結果、交換フラグｎがＯＮであったカートリッジについて、交換前のカートリッジの残り寿命が「不可」のものがなかったと判定した場合（ステップＳ５２：ｎｏ）、図１０中に示すステップＳ６１の処理を実行する。一方、制御部８０は、ステップＳ５２の判定の結果、交換フラグｎがＯＮであったカートリッジについて、交換前のカートリッジの残り寿命が「不可」のものが含まれていたと判定した場合、図９中のステップＳ５３の処理を実行する。
【０１００】
ステップＳ６１において、制御部８０は、交換フラグｎがＯＦＦであったカートリッジは全て、交換前のカートリッジの残り寿命が「可」であったか否かの判定をする。交換フラグｎがＯＦＦであったカートリッジは全て、交換前のカートリッジの残り寿命が「可」であったと判定された場合（ステップＳ６１：ｙｅｓ）、制御部８０は、交換ミス検出処理を終了する。一方、交換フラグｎがＯＦＦであったカートリッジの中に、交換前のカートリッジの残り寿命が「不可」のものが含まれていると判定された場合（ステップＳ６１：ｎｏ）、制御部８０は、交換したカートリッジを取り違えていないかをユーザに問い合わせるメッセージを、ディスプレイ９０に表示させる（ステップＳ６２）。
【０１０１】
一方、ステップＳ５３において、制御部８０は、交換フラグｎがＯＮであったカートリッジは全て、交換前のカートリッジの残り寿命が「不可」であったか否かの判定をする。制御部８０は、交換フラグｎがＯＮであったカートリッジは全て、交換前のカートリッジの残り寿命が「不可」であったと判定した場合（ステップＳ５３：ｙｅｓ）、図９中のステップＳ５４の処理を実行する。一方、ステップＳ５３の判定の結果、制御部８０は、交換フラグｎがＯＮであったカートリッジの中に、交換前のカートリッジの残り寿命が「可」であったものが含まれていると判定した場合（ステップＳ５３：ｎｏ）、交換されたカートリッジにおいて、交換前のカートリッジの残り寿命が「可」のものと「不可」のものとが混在していると判定する。その場合、制御部８０は、図１１中に示すステップＳ７１の処理を実行する。
【０１０２】
ステップＳ７１において、制御部８０は、交換フラグｎがＯＦＦであったカートリッジは全て、交換前のカートリッジの残り寿命が「可」であったか否かの判定をする。その結果、交換フラグｎがＯＦＦであったカートリッジの中に、交換前のカートリッジの残り寿命が「不可」であったものが含まれていたと判定した場合（ステップＳ７１：ｎｏ）、制御部８０は、交換したカートリッジを取り違えていないかをユーザに問い合わせるメッセージを、ディスプレイ９０に表示させる（ステップＳ７２）。
【０１０３】
なお、ステップＳ７２でディスプレイ９０に表示されるメッセージの例を、図１３に示してある。図１３に示したメッセージは、各カートリッジの交換前のカートリッジの残り寿命、および、各カートリッジの交換の有無を、一覧にして表示している。なお、図１３に示すように、メッセージは、交換ミスが生じていると考えられるカートリッジを、枠線で囲む等の態様で、強調表示するものであってもよい。
【０１０４】
一方、ステップＳ７１の判定の結果、交換フラグｎがＯＦＦであったカートリッジは全て、交換前のカートリッジの残り寿命が「可」であったと判定した場合、制御部８０は、カートリッジの交換を維持するか否かをユーザに再確認するメッセージを、ディスプレイ９０に表示させる（ステップＳ７３）。ステップＳ７３でディスプレイ９０に表示されるメッセージの例を、図１４に示してある。
【０１０５】
図９に戻る。ステップＳ５４において、制御部８０は、交換フラグｎがＯＦＦであったカートリッジは全て、交換前のカートリッジの残り寿命が「可」であったか否かの判定をする。その結果、交換フラグｎがＯＦＦであったカートリッジは全て、交換前のカートリッジの残り寿命が「可」であったと判定した場合（ステップＳ５４：ｙｅｓ）、制御部８０は、カートリッジの交換ミスが生じていないと判定する。
【０１０６】
一方、ステップＳ５４の判定の結果、交換フラグｎがＯＦＦであったカートリッジの中に、交換前のカートリッジの残り寿命が「不可」のものが含まれていたと判定した場合（ステップＳ５４：ｎｏ）、制御部８０は、図１２中のステップＳ８１の処理を実行する。
【０１０７】
ステップＳ８１において、制御部８０は、交換フラグｎがＯＮであったカートリッジの、交換前のカートリッジの残り寿命は、いずれも、交換フラグｎがＯＦＦであったカートリッジの残り寿命よりも少なかったか否かの判定をする。ステップＳ８１の判定の結果、交換フラグｎがＯＮであったカートリッジの、交換前のカートリッジの残り寿命は、いずれも、交換フラグｎがＯＦＦであったカートリッジの残り寿命よりも少なかった場合（ステップＳ８１：ｙｅｓ）、制御部８０は、交換ミス検出処理を終了する。
【０１０８】
一方、ステップＳ８１の判定の結果、交換フラグｎがＯＮであったカートリッジの中に、交換前のカートリッジの残り寿命が、交換フラグｎがＯＦＦであったカートリッジの残り寿命よりも多かったものが含まれていた場合（ステップＳ８１：ｎｏ）、制御部８０は、交換したカートリッジを取り違えていないかをユーザに問い合わせるメッセージを、ディスプレイ９０に表示させる（ステップＳ８２）。
【０１０９】
以上のように、本実施形態の画像形成装置１では、制御部８０は、交換がされたカートリッジおよび交換がされていないカートリッジの全てに関して、直前の残り寿命が「可」であったか「不可」であったかに基づく場合分けを行うことで、カートリッジの交換ミスを検出することができる。
【０１１０】
＜４．変形例＞
以上、本発明のいくつかの実施形態について説明したが、本発明は上記の実施形態に限定されるものではない。以下では、いくつかの変形例について、上記実施形態との相違点を中心に説明する。
【０１１１】
上記の第１実施形態では、更新処理において、ドラム寿命情報は本体メモリ８２とドラムメモリ２２とに記憶され、トナー寿命情報は本体メモリ８２とトナーメモリ３２とに記憶されるものとした。しかしながら、ドラム寿命情報のドラムメモリ２２への記憶、および、トナー寿命情報のトナーメモリ３２への記憶は、省略してもよい。
【０１１２】
上記の実施形態の第１の交換タイミング判定処理または第２の交換タイミング判定処理において、複数種類の寿命情報を複合的に用いて、交換時期が到来したか否かを判定することにしてもよい。
【０１１３】
上記の実施形態では、トナーカートリッジ３０が現像ローラ３１を有するものとした。しかしながら、これに代えて、ドラムカートリッジが現像ローラを有することにしてもよい。その場合、ドラムカートリッジの寿命情報として、現像ローラの累積回転数を用いてもよい。
【０１１４】
上記の第１実施形態および第２実施形態では、画像形成装置１のフレーム１１に装着されるドラムカートリッジ２０およびトナーカートリッジ３０の対の数は、４つであった。しかしながら、画像形成装置のフレームに装着される対の数は、１〜３つであってもよく、５つ以上であってもよい。
【０１１５】
第３実施形態において、１つのドラムカートリッジに、複数のトナーカートリッジが装着されてもよい。また、ドラムカートリッジは、装着されるトナーカートリッジの数に応じて、複数の感光体ドラムを有していてもよい。
【０１１６】
また、画像形成装置の構成や、処理の細部については、本願発明の趣旨を逸脱しない範囲で、適宜に変更してもよい。また、上記の実施形態や変形例に登場した各要素を、矛盾が生じない範囲で、適宜に組み合わせてもよい。
【符号の説明】
【０１１７】
１    画像形成装置
１０  ケーシング
１１  フレーム
１２  カバー
１３  カートリッジ保持部
２０  ドラムカートリッジ
２１  感光体ドラム
２２  ドラムメモリ
３０  トナーカートリッジ
３１  現像ローラ
３２  トナーメモリ
４０  光源ユニット
６０  転写ベルト
６１  プーリ
８０  制御部
８１  プロセッサ
８２  本体メモリ
１３０  開口
【図１】
2020038239.tif 000003
【図２】
2020038239.tif 000004
【図３】
2020038239.tif 000005
【図４】
2020038239.tif 000006
【図５】
2020038239.tif 000007
【図６】
2020038239.tif 000008
【図７】
2020038239.tif 000009
【図８】
2020038239.tif 000010
【図９】
2020038239.tif 000011
【図１０】
2020038239.tif 000012
【図１１】
2020038239.tif 000013
【図１２】
2020038239.tif 000014
【図１３】
2020038239.tif 000015
【図１４】
2020038239.tif 000016